(57)【要約】【課題】照明ヘッドの向きを調整することなく、照明ヘッドの直下よりも前方にオフセットさせる。【解決手段】照明ヘッド（４）は、光源（５）と、反射板（６）と、拡散板（７）とを有する。光源（５）は、反射板（６）の曲面形状によって規定される内部空間において、反射板（６）と対向するように配置されている。光源（５）から出射された光の光軸（Ａ）は、照明ヘッド（４）が直下を向いた状態において、鉛直方向を向いている。反射板（６）は、この光軸（Ａ）に対して非対称な曲面形状を有し、照明ヘッド（４）が直下を向いた状態で照射面上に形成される照射領域が、照明ヘッド（４）の直下に対して特定の方向にオフセットするように、出射光を反射した反射光を特定の方向に導く。拡散板（７）は、反射板（６）の開口部に取り付けられ、照射領域の光強度が均一になるように、反射光を拡散する。
2019138459.tif 000002
【特許請求の範囲】
【請求項１】
照明機器において、  少なくとも照明ヘッドを備え、  前記照明ヘッドは、  光源と、  前記光源から出射された光の光軸に対して非対称な曲面形状を有し、前記照明ヘッドが直下を向いた状態で照射面上に形成される照射領域が、前記照明ヘッドの直下に対してオフセットするように、前記出射光を反射した反射光を特定の方向に導く反射板とを有することを特徴とする照明機器。
【請求項２】
照明機器において、  設置台と、  照明ヘッドと、  前記設置台と、前記照明ヘッドとを接続するアームと、  前記照明ヘッドは、  光源と、  前記光源から出射された光の光軸に対して非対称な曲面形状を有し、前記照明ヘッドが直下を向いた状態で照射面上に形成される照射領域が、前記照明ヘッドの直下に対してオフセットするように、前記出射光を反射した反射光を特定の方向に導く反射板とを有することを特徴とする照明機器。
【請求項３】
前記反射板は、前記反射光を前方に導くことによって、前記照射領域を前方にオフセットさせることを特徴とする請求項１または２に記載された照明機器。
【請求項４】
前記反射板は、前方側縁部の反射特性として、鉛直方向に対する前記反射光の光線角度が前方側の縁部に向かうにつれて徐々に減少するように反射することを特徴とする請求項３に記載された照明機器。
【請求項５】
前記反射板は、前記非対称な曲面形状として、前記光源から出射された光の光軸に対して放物線を傾けた断面形状を有することを特徴とする請求項３に記載された照明ヘッド。
【請求項６】
前記反射光の光軸上に設けられ、前記照射領域の光強度が均一になるように、前記反射光を一定の角度に拡散するレンズ拡散板をさらに有することを特徴とする請求項３に記載された照明機器。
【請求項７】
前記光源は、複数のサブ光源を有し、  前記反射板は、前記複数のサブ光源のそれぞれから出射された前記出射光を反射して、前記反射光として前方に導くことを特徴とする請求項３に記載された照明器具。
【発明の詳細な説明】
【技術分野】
【０００１】  本発明は、照明ヘッドを備える照明機器に係り、特に、光源から出射された光の反射構造に関する。
【背景技術】
【０００２】  従来、照明ヘッドを備える照明機器が知られている。例えば、特許文献１には、ＬＥＤ実装基板と、筐体と、ＬＥＤ基板支持板とを有する照明器具が開示されている。ＬＥＤ実装基板には、短波長光を放射するＬＥＤ素子が実装されている。筐体は、凹部にＬＥＤ素子の短波長光により変換光を発光する波長変換部が設けられた反射面を有する。ＬＥＤ基板支持板は、筐体の開口縁部内側に内側面を凹部底面を向けて設けられている。ＬＥＤ基板支持板には、ＬＥＤ素子の発光面を反射面の凹部底面に向けてＬＥＤ実装基板が取り付けられている。また、ＬＥＤ素子の光源のイメージが直接見えないようにすることが記載されている。【０００３】  特許文献２には、ＬＥＤキャリアを用いて、間隔をあけてランプの長さ方向に縦に配置した複数のＬＥＤを備えるランプが開示されている。それぞれのＬＥＤは、光線の中心方向周辺の特定の立体角エリアに発光する。立体角エリアは、ランプの間接発光のためのランプ反射板に向けられる。ＬＥＤの数、及び／又は、ＬＥＤの間隔は、全てのＬＥＤの立体角エリアが互いに最も離れて位置するＬＥＤ間の距離の少なくとも０．２〜２．５倍でランプの底面から照明表面距離で、光反射板での反射後、少なくとも部分的に重なるように選択される。【０００４】  特許文献３には、光源からの光を効率良く照明に利用可能な照明装置が開示されている。この照明装置は、リング状光源と、反射部材とを備える。反射部材の反射面は、２つの焦点を有する楕円の一部を成す曲線を、中心軸を中心に１回転させることにより空間内に形成される凹曲面である。各ＬＥＤと反射面との位置関係は、リング状光源の各ＬＥＤの光軸を含む有効配光角内の全ての光が反射面に当たるように定められ、リング状光源の各ＬＥＤから発し反射面で反射した光を照射面に照射する。
【先行技術文献】
【特許文献】
【０００５】
【特許文献１】特開２００７−３００１３８号公報
【特許文献２】特表２０１５−５１１０１７号公報
【特許文献３】特開２０１７−１３３９８４号公報
【発明の概要】
【発明が解決しようとする課題】
【０００６】  従来の照明機器では、照明ヘッドが真下を向いた状態において、光の照射によって照射面上に形成される照射領域は照明ヘッドの直下に位置する。しかしながら、ユーザの使用状況によっては、照明ヘッドの直下ではなく、それよりも前方（手前）に照射領域が位置している方が使い勝手がよいことも多い。このような状況としては、例えば、照射領域内に置かれた本などを読むユーザの視線が照明ヘッドによって遮られる場合などが想定される。この場合、照明ヘッドの向きを斜め前方に調整すれば対処できるものの、本来は略円状の照射領域が楕円状に変形して、その縁部が流れて境界が不鮮明になってしまうばかりか、最悪の場合、ユーザが光源を直視するのに近い状況が起こり得る。【０００７】  本発明は、かかる事情に鑑みてなされたものであり、その目的は、照明ヘッドの向きを調整することなく、照明ヘッドの直下よりも前方にオフセットした照射領域を形成することである。
【課題を解決するための手段】
【０００８】  かかる課題を解決すべく、第１の発明は、少なくとも照明ヘッドを備える照明機器を提供する。照明ヘッドは、光源と、反射板とを有する。反射板は、光源から出射された光の光軸に対して非対称な曲面形状を有し、照明ヘッドが直下を向いた状態で照射面上に形成される照射領域が、照明ヘッドの直下に対してオフセットするように、出射光を反射した反射光を特定の方向に導く。【０００９】  第２の発明は、設置台と、照明ヘッドと、アームとを備える照明機器を提供する。アームは、設置台と、前記照明ヘッドとを接続する。照明ヘッドは、光源と、反射板とを有する。反射板は、光源から出射された光の光軸に対して非対称な曲面形状を有し、照明ヘッドが直下を向いた状態で照射面上に形成される照射領域が、照明ヘッドの直下に対してオフセットするように、出射光を反射した反射光を特定の方向に導く。【００１０】  ここで、第１または第２の発明において、上記反射板は、反射光を前方に導くことによって、照射領域を前方にオフセットさせることが好ましい。この場合、上記反射板は、前方側縁部の反射特性として、鉛直方向に対する反射光の光線角度が前方側の縁部に向かうにつれて徐々に減少するように反射することが好ましい。また、上記反射板は、非対称な曲面形状として、光源から出射された光の光軸に対して放物線を傾けた断面形状を有していてもよい。また、反射光の光軸上に設けられ、照射領域の光強度が均一になるように、反射光を一定の角度に拡散するレンズ拡散板をさらに設けてもよい。さらに、上記光源は、複数のサブ光源によって構成されており、上記反射板は、複数のサブ光源のそれぞれから出射された出射光を反射して反射光として前方に導くようにしてもよい。
【発明の効果】
【００１１】  本発明によれば、反射板によって反射光を特定の方向に導くことで、照射面上に形成される照射領域を照明ヘッドの真下に対してオフセットさせることができる。
【図面の簡単な説明】
【００１２】
【図１】照明機器の正面図
【図２】照明機器の側面図
【図３】第１の実施形態に係る光学系の断面図
【図４】反射構造の説明図
【図５】反射構造の説明図
【図６】反射構造の説明図
【図７】反射構造の説明図
【図８】照明ヘッドからの光によって形成される照射領域の説明図
【図９】照射領域の光強度分布を示す図
【図１０】調整機構付きの光学系の断面図
【図１１】第２の実施形態に係る光学系の配置を示す平面図
【図１２】左右の光学系の断面図
【図１３】中央の光学系の断面図
【図１４】拡散前の個々の光源の照射領域の光強度分布を示す図
【図１５】拡散前の合成光源の照射領域の光強度分布を示す図
【図１６】拡散後の照射領域の光強度分布を示す図
【図１７】第３の実施形態に係る光学系の平面図
【図１８】第３の実施形態の変形例に係る光学系の説明図
【図１９】拡散前の照射領域の光強度分布を示す図
【図２０】拡散後の照射領域の光強度分布を示す図
【発明を実施するための形態】
【００１３】（第１の実施形態）  図１は、本実施形態に係る照明機器の正面図であり、図２はその側面図である。この照明機器１は、デスクスタンドとして使用され、設置台２と、アーム３と、照明ヘッド４とを主体に構成されている。設置台２は、略円柱状の形状を有し、デスクなどの設置面上に載置される。アーム３は、その一端が設置台２の上部に取り付けられており、設置台２の上方に向かって延在している。このアーム３の他端には、照明ヘッド４が後方において取り付けられている。照明ヘッド４の向きは調整自在である。同図は、照明ヘッド４がやや前方を向いた状態を示しているが、水平線Ｈに対する照明ヘッド４のなす角θが０度の状態（θ＝０）が真下を向いた状態である。また、以下の説明では、照明機器１の前後方向を「Ｘ方向」、その左右方向を「Ｙ方向」とし、特に、本実施形態では、Ｘ方向におけるアーム３側とは反対方向を「前方」とする。
【００１４】  図３は、照明ヘッド４に内蔵された光学系の断面図である。この光学系は、光源５と、反射板６と、レンズ拡散板７とを有する。光源５は、発光体であるＬＥＤが１個または複数個搭載された単一の発光ユニットによって構成されており、反射板６の曲面形状によって規定される内部空間において、反射板６と対向するように配置されている。本実施形態において、光源５は、照明ヘッド４が直下を向いた状態（θ＝０）で、そこから出射された光の光軸Ａが鉛直方向を向くように配置されている。なお、後述するように、光源５は、複数の発光ユニットを組み合わせた複数の光源であってもよい。
【００１５】  反射板６は、光源５から光軸Ａの方向に出射された出射光を下方に反射する。反射板６は、左右方向（Ｙ方向）については、光源５から出射された光の光軸Ａに対して左右対称な曲面形状を有しているが、前後方向（Ｘ方向）については、図３に示したように、光軸Ａに対して前後非対称な曲面形状を有している。これにより、反射板６によって反射された反射光は、照明ヘッド４の直下ではなく、これよりも前方に導かれることになる。
【００１６】  なお、光源５の傾きおよび位置は図３に限定されるものではなく、スタンドの高さなどを含む実際の製品の仕様に応じて、適宜決定されるべきものである。例えば、光源５を前方に傾けると、照明ヘッド４から出射される光をより前方に導くことができ、後方だとその逆となる。また、光源５を反射板６に近づけると光の照射領域が広がり、これを反射板６から遠ざけるとその逆となる。
【００１７】  以下、図４から図７を参照しつつ、本実施形態に係る反射構造について詳述する。本実施形態では、反射板６の一例として、前後方向の断面が放物線状のものを用いる。具体的には、以下に示す非球面式が用いられ、ｋの値により、ベース面（右辺の第１項）は、球面（ｋ＝０）、楕円面（−１＜ｋ＜０）、放物面（ｋ＝−１）、双曲面（ｋ＜−１）のように分類される。本実施形態では、一例として、Ｋ＝−１，ｒ＝３０，ｈ＝５４．７７２とする。
【００１８】
2019138459.tif 000003
【００１９】  まず、図４に示すような放物線について考える。放物線の焦点Ｂから上方に向かって光を出射した場合、反射板６によって反射された反射光は平行光として直下に出射される。これにより、照射面上には略円状の照射領域（光野）が形成される。
【００２０】  つぎに、図５に示すように、光源５を焦点Ｂの位置から反射板６側に近づけると共に、反射板５の焦点軸Ｃに対して光軸Ａを所定の角度（例えば３０度）だけ傾ける場合について考える。これにより、反射光の出射方向も傾いて、照明ヘッド４の直下ではなく斜め前方に導かれる。照射面上に形成される照射領域は、図４の場合よりも大きくなり、かつ、三日月状になる。また、光源５を近づけることで、反射光は平行光ではなくなる。
【００２１】  そして、図６に示すように、光源５が真上を向くように反射板６の傾きを戻した上で、反射板６の一部、すなわち、光源５よりも下方の部位を水平線Ｈで切断する。これにより、図７に示すように、反射板６（照明ヘッド４）が直下を向いた状態において、照明ヘッド４（反射板６）からの反射光は斜め前方に導かれる。
【００２２】  なお、反射板６の断面形状は非球面形状（放物線状）が好ましいものの、これに限定されるものではなく、反射光を斜め前方に導くことが可能である限り、どのような形状を採用してもよい。
【００２３】  レンズ拡散板７は、反射板６から出射された反射光の光軸上に設けられ、照射領域Ｓの光強度が均一になるように反射光を拡散する。レンズ拡散板７は、ＬＳＤ（Light Shaping Diffusers）拡散板とも称され、フィルムの表面に微細な凹凸を形成し、凹凸構造による屈折／回折作用によって入射光を一定の角度に拡散させる。
【００２４】  図８は、照明ヘッド４から出射される光によって形成される照射領域の説明図である。照明ヘッド４が直下を向いた状態において、反射板６からの反射光は斜め前方に向かって直線状に出射される。この反射光は、レンズ拡散板７を透過する際に拡散するが、その特性から前方への直進性が維持される。これにより、照射領域Ｄ（光野）が照明ヘッド４の直下に対して前方にオフセットして形成される。換言すれば、Ｘ方向において、照射領域Ｄの中心は、照明ヘッド４の前端（前方の縁部）よりも外側に位置することになる。
【００２５】  図９は、レンズ拡散板７が介在しない場合における照射領域Ｄの光強度分布を示す。図９中、淡色（白色）で示された領域ほど光強度が高く、濃色（黒色）で示された領域ほど光強度が低いことを示す。同図に示した光強度分布において、下部が少し切れているのは光源５を支持する台の影響である。レンズ拡散板７を介在させることにより、照射領域Ｄは略円状かつ均一な強度分布を有するものとなる。
【００２６】  なお、前方側の縁部における反射板６の反射特性として、反射板６から出射される反射光の交線角度θ、すなわち、鉛直方向に対する反射光の出射方向がなす角度は、図７に示したように、前方側の縁部に向かうにつれて徐々に減少するように反射することが好ましい。このような非平行光は、上述したように、光源５を焦点Ｂの位置から反射板６側に近づけて傾けることによって実現される。これにより、照射面上に形成される照射領域（スポット光）が前方に流れて境界が不鮮明になることを有効に防止できる。
【００２７】  このように、本実施形態によれば、反射板６によって反射光を斜め前方に導くことで、照射面上に形成される照射領域Ｄを照明ヘッド４の真下よりも前方にオフセットさせることができる。これにより、照明ヘッド４の向きを調整しなくても、照明ヘッド４の直下に置かれた本などを読むユーザの視線が照明ヘッド４によって遮られる状況などを有効に回避できる。また、照明ヘッド４の向きが真下の状態のままでよいので、照射領域Ｄが本来の略円状の鮮明な形状になるほか、ユーザが光源５を直視するような状況も起こり難い。
【００２８】  また、本実施形態によれば、反射板６における前方側縁部の反射特性として、鉛直方向に対する反射光の光線角度θが前方側の縁部に向かうにつれて徐々に減少するように反射する。これにより、照射面上に形成される照射領域Ｄが前方に流れて境界が不鮮明になることを有効に防止できる。
【００２９】  なお、照明ヘッドが真下を向いた状態とは、典型的には図８に示したように、照明ヘッド４の下面（図３におけるレンズ拡散板７の面）または光源５を構成する平面が照射面に対して平行な状態を指す。ただし、照明ヘッド４の下面などは有効な判断要素ではあるものの、必ずしもこれだけに限定されるものではない。照明ヘッドが真下を向いた状態であるかどうかは、実際の製品における全体形状や構造（光学的な機構を含む。）などの多様性に鑑み、実際の製品毎に個別に判断されるべきものである。また、照明ヘッドの調整を電動モータなどで行うシステム（照明機器）では、多くの場合、照明ヘッドが真下を向いている状態が初期設定されていると考えられることから、このニュートラルな初期設定状態での照明ヘッドの向きが真下を向いた状態であると捉えることも可能である。ユーザによる調整が行われていない初期設定状態での電源投入時に、照明ヘッドの真下よりも前方に照射領域Ｄが形成されるようにシステムが挙動すれば、本発明に係る照明機器の利便性をユーザに対して直ちに訴求することができる。
【００３０】  また、本実施形態において、照明ヘッド４に、光源５から出射される光の光軸の傾きを変更可能な機構を設けてもよい。例えば、図１０に示すように、光源５を構成する発光ユニットに、照明機器１のＹ方向に延在する回転軸８を設け、この回転軸８を中心に所定の範囲で光源５が回動自在になるように構成する。光源５の回動は、回転軸８を手動で回すことによって行ってもよいし、電動モータ等で自動で行ってもよい。これにより、照明ヘッド４からの出射光の広がりと強さを任意に調整することができ、ユーザにとっての利便性を更に高めることができる。また、放物線の焦点Ｂに対する発光ユニット（光源５）の距離を可変にする機構を設ければ、フォーカス調整も可能になる。その際、発光ユニットに対して回転軸８を偏心させておけば、光軸の傾き調整およびフォーカス調整を、回転軸８の回転のみで同時に行うことができる。なお、光源５から出射される光の光軸の傾き及び光源５と焦点Ｂとの位置関係について、回転軸８のような駆動のための機構を設けずに、任意の傾き及び位置関係に固定する構成としてもよい。
【００３１】（第２の実施形態）  本実施形態では、上述した第１の実施形態に係る光学系（サブ光源）を複数組み合わせて、照明ヘッド４の真下よりも前方に照射領域Ｄを形成する例について説明する。
【００３２】  図１１は、本実施形態に係る光学系の配置を示す平面図である。照明ヘッド４の内部は、３つの反射板６ａ〜６ｃが前後方向に交互にオフセットして配置されている。反射板６ａ〜６ｃには、光源５を構成するサブ光源５ａ〜５ｃがそれぞれ配置されている。図１２は、左右の光学系の断面図であり、図１３は、中央の光学系の断面図である。左右の光学系における鉛直方向に対する光源５ａ，５ｃの光軸の傾きをθ１、中央の光学系におけるこの傾きをθ２とすると、θ２はθ１よりも大きく設定されている。以上の点以外は、第１の実施形態と同様なので、ここでの説明を省略する。
【００３３】  図１４は、拡散前の個々のサブ光源５ａ〜５ｃの拡散前の照射領域Ｄの光強度分布を示す図、図１５は、３つのサブ光源５ａ〜５ｃを重ね合わせた拡散前の合成光源の照射領域Ｄの光強度分布を示す図、そして、図１６は、その拡散後の照射領域Ｄの光強度分布を示す図である。これらの図は、実験の一例として、照明ヘッド４の直径は２００ｍｍ程度、スタンドの高さは３００ｍｍとし、設置面と平行な平面から広範囲かつ丸い光を射出した場合の分布を示している。左右のサブ光源によって形成される光の照射領域（図１４（ａ）および（ｃ））は、中央の光源のそれ（図１４（ｂ））と比べて、前後方向（図の左右方向）に広がっており、これにより３つの光を重ねた時に、より円形に近い光が形成され（図１５）、当該円形に近い合成光を拡散板７で拡散させた結果（図１６）、照射領域Ｄをより円形に近づけ、且つ照度も維持することができる。また、３つの光学系からの出射光が合成され、照射領域Ｄが照明ヘッド４の直下よりも前方に照射領域Ｄが形成される。
【００３４】  このように、本実施形態によれば、複数の光学系を組み合わせることにより、第１の実施形態と同様、照射面上に形成される照射領域Ｄを照明ヘッド４の真下よりも前方にオフセットさせることができる。
【００３５】（第３の実施形態）  上述した第１および第２の実施形態では、照射領域Ｄが照明ヘッドの真下よりも前方に形成される例について説明したが、本実施形態では、複数の光学系（サブ光源）を組み合わせて、照明ヘッド４の真下に大型でかつ綺麗な略円状の照射領域Ｄを形成する例について説明する。
【００３６】  図１７は、本実施形態に係る光学系の平面図である。照明ヘッド４の内部は、上述した反射特性を有する反射板６をカットした、４つの反射板６ａ〜６ｄが点対称、すなわち上下左右に配置されている。反射板６ａ〜６ｄには、光源５を構成する複数のサブ光源６ａ〜６ｄがそれぞれ傾いて配置されている。ただし、反射板６ａ〜６ｄに対するサブ光源６ａ〜６ｄの相対的な傾きは、第１および第２の実施形態よりも小さく、それぞれの反射板５ａ〜５ｄからの反射光が照明ヘッド４の直下から大きく分散しないように設定されている。また、図１８に示すように、上述した反射板６を単一リング状の反射板６ｅとして構成してもよい。
【００３７】  図１９は、複数のサブ光源５ａ〜５ｄによる照射領域Ｄの拡散前の光強度分布を示す図であり、図２０は、レンズ拡散板７による拡散後の光強度分布を示す図である。レンズ拡散板７による処理を経ることで４つの光野が重なり、照射領域Ｄとして、広範囲かつ略円状で光強度が均一化されている。
【００３８】  本実施形態によれば、複数の光学系を組み合わせることにより、照明ヘッド４の真下に、広範囲かつ略円状で光強度が均一な照射領域Ｄを形成することができる。
【００３９】  なお、上述した第１および第２の実施形態では、照明ヘッド４の直下に対して前方にオフセットするように、照射領域Ｄを形成する例について説明したが、オフセットの方向は前方に限定されるものではなく、本発明は、照明ヘッド４の直下に対して一方向にオフセットさせる形態を広く包含する。また、照明機器１は、スタンド式に限定されるものではなく、クリップ式や吊り下げ式などを含めて、照明ヘッド４のみで構成されていてもよい。
【符号の説明】
【００４０】  １  照明機器  ２  設置台  ３  アーム  ４  照明ヘッド  ５，５ａ〜５ｄ  光源  ６，６ａ〜６ｅ  反射板  ７  レンズ拡散板  ８  回転軸
【図１】
2019138459.tif 000004
【図２】
2019138459.tif 000005
【図３】
2019138459.tif 000006
【図４】
2019138459.tif 000007
【図５】
2019138459.tif 000008
【図６】
2019138459.tif 000009
【図７】
2019138459.tif 000010
【図８】
2019138459.tif 000011
【図９】
2019138459.tif 000012
【図１０】
2019138459.tif 000013
【図１１】
2019138459.tif 000014
【図１２】
2019138459.tif 000015
【図１３】
2019138459.tif 000016
【図１４】
2019138459.tif 000017
【図１５】
2019138459.tif 000018
【図１６】
2019138459.tif 000019
【図１７】
2019138459.tif 000020
【図１８】
2019138459.tif 000021
【図１９】
2019138459.tif 000022
【図２０】
2019138459.tif 000023
【手続補正書】
【提出日】平成30年8月29日(2018.8.29)
【手続補正１】
【補正対象書類名】特許請求の範囲
【補正対象項目名】全文
【補正方法】変更
【補正の内容】
【特許請求の範囲】
【請求項１】
照明機器において、
設置台と、
照明ヘッドと、
前記設置台と、前記照明ヘッドとを接続するアームとを備え、
前記照明ヘッドは、
第１のサブ光源と、
前記第１のサブ光源よりも前方にオフセットして配置された第２のサブ光源と、
前記第１のサブ光源から出射された光の光軸に対して非対称な曲面形状を有し、前記照明ヘッドが直下を向いた状態で照射面上に形成される第１の照射領域が、前記照明ヘッドの直下に対して前方にオフセットするように、前記第１のサブ光源から出射された光を反射した反射光を特定の方向に導く第１の反射板と、
前記第１の反射板よりも前方にオフセットして配置され、前記第２のサブ光源から出射された光の光軸に対して非対称な曲面形状を有し、前記照明ヘッドが直下を向いた状態で照射面上に形成される第２の照射領域が、前記照明ヘッドの直下に対して前方にオフセットし、かつ、前記第１の照射領域の少なくとも一部と重なるように、前記第２のサブ光源から出射された光を反射した反射光を特定の方向に導く第２の反射板と
を有することを特徴とする照明機器。
【請求項２】
前記第２のサブ光源における鉛直方向に対する光軸の傾きは、前記第１のサブ光源における鉛直方向に対する光軸の傾きよりも大きいことを特徴とする請求項１に記載された照明機器。
【請求項３】
前記第１のサブ光源は、前記照明ヘッドにおける前方中央に１つ配置され、
前記第２のサブ光源は、前記照明ヘッドにおける後方左右に２つ配置されていることを特徴とする請求項１または２に記載の照明機器。
【請求項４】
前記反射光の光軸上に設けられ、前記反射光を一定の角度に拡散するレンズ拡散板をさらに有し、
前記第１の照射領域及び前記第２の照射領域は、前記レンズ拡散板を取り外した状態において、少なくとも一部が互いに重なり合うことを特徴とする請求項１から３のいずれかに記載された照明機器。
【請求項５】
前記第１の反射板および前記第２の反射板は、前方側縁部の反射特性として、鉛直方向に対する前記反射光の光線角度が前方側の縁部に向かうにつれて徐々に減少するように反射することを特徴とする請求項１から４のいずれかに記載された照明機器。
【請求項６】
前記第１の反射板および前記第２の反射板は、前記非対称な曲面形状として、前記第１のサブ光源および前記第２のサブ光源から出射された光の光軸に対して放物線を傾けた断面形状を有することを特徴とする請求項５に記載された照明ヘッド。
【請求項７】
照明機器において、
少なくとも照明ヘッドを備え、
前記照明ヘッドは、
第１のサブ光源と、
前記第１のサブ光源よりも前方にオフセットして配置された第２のサブ光源と、
前記第１のサブ光源から出射された光の光軸に対して非対称な曲面形状を有し、前記照明ヘッドが直下を向いた状態で照射面上に形成される第１の照射領域が、前記照明ヘッドの直下に対して前方にオフセットするように、前記第１のサブ光源から出射された光を反射した反射光を特定の方向に導く第１の反射板と、
前記第１の反射板よりも前方にオフセットして配置され、前記第２のサブ光源から出射された光の光軸に対して非対称な曲面形状を有し、前記照明ヘッドが直下を向いた状態で照射面上に形成される第２の照射領域が、前記照明ヘッドの直下に対して前方にオフセットし、かつ、前記第１の照射領域の少なくとも一部と重なるように、前記第２のサブ光源から出射された光を反射した反射光を特定の方向に導く第２の反射板と
を有することを特徴とする照明機器。
【手続補正２】
【補正対象書類名】明細書
【補正対象項目名】０００８
【補正方法】変更
【補正の内容】
【０００８】
かかる課題を解決すべく、第１の発明は、設置台と、照明ヘッドと、アームとを備える照明機器を提供する。アームは、設置台と、照明ヘッドとを接続する。照明ヘッドは、第１のサブ光源と、第２のサブ光源と、第１の反射板と、第２の反射板とを有する。第２のサブ光源は、第１のサブ光源よりも前方にオフセットして配置されている。第１の反射板は、第１のサブ光源から出射された光の光軸に対して非対称な曲面形状を有し、照明ヘッドが直下を向いた状態で照射面上に形成される第１の照射領域が、照明ヘッドの直下に対して前方にオフセットするように、第１のサブ光源から出射された光を反射した反射光を特定の方向に導く。第２の反射板は、第１の反射板よりも前方にオフセットして配置され、第２のサブ光源から出射された光の光軸に対して非対称な曲面形状を有し、照明ヘッドが直下を向いた状態で照射面上に形成される第２の照射領域が、照明ヘッドの直下に対して前方にオフセットし、かつ、第１の照射領域の少なくとも一部と重なるように、第２のサブ光源から出射された光を反射した反射光を特定の方向に導く。
【手続補正３】
【補正対象書類名】明細書
【補正対象項目名】０００９
【補正方法】変更
【補正の内容】
【０００９】
第２の発明は、少なくとも照明ヘッドを備える照明機器を提供する。照明ヘッドは、第１のサブ光源と、第２のサブ光源と、第１の反射板と、第２の反射板とを有する。第２のサブ光源とは、第１のサブ光源よりも前方にオフセットして配置されている。第１の反射板は、第１のサブ光源から出射された光の光軸に対して非対称な曲面形状を有し、照明ヘッドが直下を向いた状態で照射面上に形成される第１の照射領域が、照明ヘッドの直下に対して前方にオフセットするように、第１のサブ光源から出射された光を反射した反射光を特定の方向に導く。第２の反射板は、第１の反射板よりも前方にオフセットして配置され、第２のサブ光源から出射された光の光軸に対して非対称な曲面形状を有し、照明ヘッドが直下を向いた状態で照射面上に形成される第２の照射領域が、照明ヘッドの直下に対して前方にオフセットし、かつ、第１の照射領域の少なくとも一部と重なるように、第２のサブ光源から出射された光を反射した反射光を特定の方向に導く。
【手続補正４】
【補正対象書類名】明細書
【補正対象項目名】００１０
【補正方法】変更
【補正の内容】
【００１０】
ここで、第１または第２の発明において、第２のサブ光源における鉛直方向に対する光軸の傾きは、第１のサブ光源における鉛直方向に対する光軸の傾きよりも大きいことが好ましい。また、第１のサブ光源は、照明ヘッドにおける前方中央に１つ配置され、第２のサブ光源は、照明ヘッドにおける後方左右に２つ配置されていてもよい。また、反射光の光軸上に設けられ、反射光を一定の角度に拡散するレンズ拡散板をさらに設けてもよい。この場合、第１の照射領域及び第２の照射領域は、レンズ拡散板を取り外した状態において、少なくとも一部が互いに重なり合うことが好ましい。また、第１の反射板および第２の反射板は、前方側縁部の反射特性として、鉛直方向に対する反射光の光線角度が前方側の縁部に向かうにつれて徐々に減少するように反射することが好ましい。さらに、第１の反射板および第２の反射板は、非対称な曲面形状として、第１のサブ光源および第２のサブ光源から出射された光の光軸に対して放物線を傾けた断面形状を有していてもよい。
【手続補正５】
【補正対象書類名】明細書
【補正対象項目名】００１１
【補正方法】変更
【補正の内容】
【００１１】
本発明によれば、サブ光源毎に反射板を設け、それぞれの反射板によって反射光を特定の方向に導く。このように複数の光学系を組み合わせることにより、照射面上に形成される照射領域を照明ヘッドの真下に対してオフセットさせつつ、照射領域の少なくとも一部を重ならせることができる。
【手続補正書】
【提出日】平成30年12月13日(2018.12.13)
【手続補正１】
【補正対象書類名】特許請求の範囲
【補正対象項目名】全文
【補正方法】変更
【補正の内容】
【特許請求の範囲】
【請求項１】
照明機器において、
設置台と、
下面が照射面に対して平行な状態で、自己の直下に対して前方にオフセットした照射領域を前記照射面上に形成する照明ヘッドと、
前記設置台と、前記照明ヘッドとを接続するアームとを備え、
前記照明ヘッドは、
第１のサブ光源と、
前記第１のサブ光源よりも後方にオフセットして配置された第２のサブ光源と、
前記第１のサブ光源から出射された光の光軸に対して非対称な曲面形状を有し、前記照明ヘッドの下面が照射面に対して平行な状態で照射面上に形成される第１の照射領域が、前記照明ヘッドの直下に対して前方にオフセットするように、前記第１のサブ光源から出射された光を反射した反射光を特定の方向に導く第１の反射板と、
前記第１の反射板よりも後方にオフセットして配置され、前記第２のサブ光源から出射された光の光軸に対して非対称な曲面形状を有し、前記照明ヘッドの下面が照射面に対して平行な状態で照射面上に形成される第２の照射領域が、前記照明ヘッドの直下に対して前方にオフセットし、かつ、前記第１の照射領域の少なくとも一部と重なりつつ前記第１の照射領域よりも前後方向に広がるように、前記第２のサブ光源から出射された光を反射した反射光を特定の方向に導く第２の反射板と
を有することを特徴とする照明機器。
【請求項２】
前記第２のサブ光源における鉛直方向に対する光軸の傾きは、前記第１のサブ光源における鉛直方向に対する光軸の傾きよりも大きいことを特徴とする請求項１に記載された照明機器。
【請求項３】
前記第１のサブ光源は、前記照明ヘッドにおける前方中央に１つ配置され、
前記第２のサブ光源は、前記照明ヘッドにおける後方左右に２つ配置されていることを特徴とする請求項１または２に記載の照明機器。
【請求項４】
前記反射光の光軸上に設けられ、前記反射光を一定の角度に拡散するレンズ拡散板をさらに有し、
前記第１の照射領域及び前記第２の照射領域は、前記レンズ拡散板を取り外した状態において、少なくとも一部が互いに重なり合うことを特徴とする請求項１から３のいずれかに記載された照明機器。
【請求項５】
前記第１の反射板および前記第２の反射板は、前方側縁部の反射特性として、鉛直方向に対する前記反射光の光線角度が前方側の縁部に向かうにつれて徐々に減少するように反射することを特徴とする請求項１から４のいずれかに記載された照明機器。
【請求項６】
前記第１の反射板および前記第２の反射板は、前記非対称な曲面形状として、前記第１のサブ光源および前記第２のサブ光源から出射された光の光軸に対して放物線を傾けた断面形状を有することを特徴とする請求項５に記載された照明ヘッド。
【請求項７】
照明機器において、
下面が照射面に対して平行な状態で、自己の直下に対して前方にオフセットした照射領域を照射面上に形成する照明ヘッドを少なくとも備え、
前記照明ヘッドは、
第１のサブ光源と、
前記第１のサブ光源よりも後方にオフセットして配置された第２のサブ光源と、
前記第１のサブ光源から出射された光の光軸に対して非対称な曲面形状を有し、前記照明ヘッドの下面が照射面に対して平行な状態で照射面上に形成される第１の照射領域が、前記照明ヘッドの直下に対して前方にオフセットするように、前記第１のサブ光源から出射された光を反射した反射光を特定の方向に導く第１の反射板と、
前記第１の反射板よりも後方にオフセットして配置され、前記第２のサブ光源から出射された光の光軸に対して非対称な曲面形状を有し、前記照明ヘッドの下面が照射面に対して平行な状態で照射面上に形成される第２の照射領域が、前記照明ヘッドの直下に対して前方にオフセットし、かつ、前記第１の照射領域の少なくとも一部と重なりつつ前記第１の照射領域よりも前後方向に広がるように、前記第２のサブ光源から出射された光を反射した反射光を特定の方向に導く第２の反射板と
を有することを特徴とする照明機器。
【手続補正２】
【補正対象書類名】明細書
【補正対象項目名】０００８
【補正方法】変更
【補正の内容】
【０００８】
かかる課題を解決すべく、第１の発明は、設置台と、照明ヘッドと、アームとを備える照明機器を提供する。照明ヘッドは、下面が照射面に対して平行な状態で、自己の直下に対して前方にオフセットした照射領域を照射面上に形成する。アームは、設置台と、照明ヘッドとを接続する。照明ヘッドは、第１のサブ光源と、第２のサブ光源と、第１の反射板と、第２の反射板とを有する。第２のサブ光源は、第１のサブ光源よりも後方にオフセットして配置されている。第１の反射板は、第１のサブ光源から出射された光の光軸に対して非対称な曲面形状を有し、照明ヘッドの下面が照射面に対して平行な状態で照射面上に形成される第１の照射領域が、照明ヘッドの直下に対して前方にオフセットするように、第１のサブ光源から出射された光を反射した反射光を特定の方向に導く。第２の反射板は、第１の反射板よりも前方にオフセットして配置され、第２のサブ光源から出射された光の光軸に対して非対称な曲面形状を有し、照明ヘッドの下面が照射面に対して平行な状態で照射面上に形成される第２の照射領域が、照明ヘッドの直下に対して前方にオフセットし、かつ、第１の照射領域の少なくとも一部と重なりつつ第１の反射領域よりも前後方向に広がるように、第２のサブ光源から出射された光を反射した反射光を特定の方向に導く。
【手続補正３】
【補正対象書類名】明細書
【補正対象項目名】０００９
【補正方法】変更
【補正の内容】
【０００９】
第２の発明は、少なくとも照明ヘッドを備える照明機器を提供する。照明ヘッドは、第１のサブ光源と、第２のサブ光源と、第１の反射板と、第２の反射板とを有し、下面が照射面に対して平行な状態で、自己の直下に対して後方にオフセットした照射領域を照射面上に形成する。第２のサブ光源は、第１のサブ光源よりも前方にオフセットして配置されている。第１の反射板は、第１のサブ光源から出射された光の光軸に対して非対称な曲面形状を有し、照明ヘッドの下面が照射面に対して平行な状態で照射面上に形成される第１の照射領域が、照明ヘッドの直下に対して前方にオフセットするように、第１のサブ光源から出射された光を反射した反射光を特定の方向に導く。第２の反射板は、第１の反射板よりも前方にオフセットして配置され、第２のサブ光源から出射された光の光軸に対して非対称な曲面形状を有し、照明ヘッドの下面が照射面に対して平行な状態で照射面上に形成される第２の照射領域が、照明ヘッドの直下に対して前方にオフセットし、かつ、第１の照射領域の少なくとも一部と重なりつつ第１の反射領域よりも前後方向に広がるように、第２のサブ光源から出射された光を反射した反射光を特定の方向に導く。
【手続補正４】
【補正対象書類名】明細書
【補正対象項目名】００１１
【補正方法】変更
【補正の内容】
【００１１】
本発明によれば、サブ光源毎に反射板を設け、それぞれの反射板によって反射光を特定の方向に導く。このように複数の光学系を組み合わせることにより、照射面上に形成される照射領域を照明ヘッドの直下に対してオフセットさせつつ、照射領域の少なくとも一部を重ならせることができる。また、第２の照射領域が、照明ヘッドの直下に対して前方にオフセットし、かつ、第１の照射領域の少なくとも一部と重なりつつ第１の照射領域よりも前後方向に広がるようにすることで、これらの照射領域を重ねた時に、より円形に近い光を形成することができる。
【国際調査報告】
2019138459.tif 000024
2019138459.tif 000025
2019138459.tif 000026